(57)【要約】      （修正有）【課題】メンテナンス時の給水停止を回避し、大型化や高コスト化を抑制できる給水装置を提供する。【解決手段】吸込管１ａの分岐箇所から延びる第１上流分岐管ｒ１及び第２上流分岐管ｒ２と、各上流分岐管の下流側の第１及び第２下流分岐管ｍ１、ｍ２と、吸込側連通管ｃ１０と、各下流分岐管の下流側から給水装置の吐出口１ｂまで延びる吐出管ｒ３と、第１及び第２上流分岐管に設けられた第１及び第２開閉弁ＧＶ１１、ＧＶ１２と、各開閉弁の下流側の第１及び第２逆流防止器ＢＰ１、ＢＰ２と、各下流分岐管にそれぞれ設けられた第１及び第２ポンプＰ１、Ｐ２と、第１ポンプと第１下流分岐管と吸込側連通管を接続する第１吸込側三方弁ＧＶ４１と、第２ポンプと第２下流分岐管と吸込側連通管を接続する第２吸込側三方弁ＧＶ４２と、第１下流分岐管の外部で第１ポンプの上流側及び下流側どうしを連通する第１逆止弁ＣＶ２１を有する第１バイパス管ｂ１とを備える。【選択図】図５
2018123529.tif 000002
【特許請求の範囲】
【請求項１】
上水道配水管に接続される吸込口と、需要先に接続される吐出口と、を備えた、給水装置において、
前記吸込口から延びる吸込管の分岐箇所からそれぞれ延びる第１上流分岐管及び第２上流分岐管と、
前記第１上流分岐管及び前記第２上流分岐管の下流側にそれぞれ配置された、第１下流分岐管及び第２下流分岐管と、
吸込側連通管と、
前記第１下流分岐管及び前記第２下流分岐管の下流側から前記給水装置の吐出口まで延びる吐出管と、
前記第１上流分岐管に設けられた、第１開閉弁及びその下流側の第１逆流防止器と、
前記第２上流分岐管に設けられた、第２開閉弁及びその下流側の第２逆流防止器と、
前記第１下流分岐管及び前記第２下流分岐管にそれぞれ設けられた、第１ポンプ及び第２ポンプと、
前記第１ポンプの上流側で前記第１下流分岐管の上流端に接続された第１口と、前記吸込側連通管の一端に接続された第２口と、第３口とを有する、第１吸込側三方弁と、
前記第２ポンプの上流側で前記第２下流分岐管の上流端に接続された第１口と、前記吸込側連通管の他端に接続された第２口と、前記第２上流分岐管の下流端に接続された第３口とを有する、第２吸込側三方弁と、
前記第１下流分岐管の外部で、前記第１ポンプの上流側及び下流側どうしを連通する、第１バイパス管と、
前記第１バイパス管に設けられた第１逆止弁と、
を備えた、給水装置。
【請求項２】
吐出側連通管と、
前記第１ポンプの下流側で前記第１下流分岐管の下流端に接続された第１口と、前記吐出側連通管の一端に接続された第２口と、第３口とを有する、第１吐出側三方弁と、
前記第２ポンプの下流側で前記第２下流分岐管の下流端に接続された第１口と、前記吐出側連通管の他端に接続された第２口とを有する、三方弁又は二方弁からなる第２吐出側切替弁と、
をさらに備え、
前記第１バイパス管は、前記第１吸込側三方弁の第３口と前記第１吐出側三方弁の第３口とを連通しており、
前記吐出側連通管には、前記第１吐出側三方弁と前記第２吐出側切替弁との間で、前記吐出管の上流端が接続されている、請求項１に記載の給水装置。
【請求項３】
前記第１上流分岐管の下流端が、前記第１吸込側三方弁と前記第２吸込側三方弁との間で、前記吸込側連通管に接続されており、
前記第１上流分岐管には、第１逆流防止器の下流側に、第３開閉弁が設けられている、請求項２に記載の給水装置。
【請求項４】
前記第１上流分岐管の下流端が、前記第１吸込側三方弁の第３口と前記第１バイパス管との接続箇所に接続されている、請求項２に記載の給水装置。
【請求項５】
前記第１逆流防止器及び前記第２逆流防止器より下流側の前記第１上流分岐管及び前記第２上流分岐管の上側で、前記第１吸込側三方弁、前記第２吸込側三方弁、前記第１吐出側三方弁、及び前記第２吐出側切替弁が、同一平面上に配置されており、
前記第１下流分岐管は、前記第１吸込側三方弁及び前記第１吐出側三方弁の上側に配置されており、
前記第２下流分岐管は、前記第２吸込側三方弁及び前記第２吐出側切替弁の上側に配置されている、請求項２〜４のいずれか一項に記載の給水装置。
【請求項６】
前記第１吸込側三方弁及び前記第１吐出側三方弁を、操作部の操作により同時に切り替えられるように構成された、第１回転軸と、
前記第２吸込側三方弁及び前記第２吐出側切替弁を、操作部の操作により同時に切り替えられるように構成された、第２回転軸と、
をさらに備えた、請求項２〜５のいずれか一項に記載の給水装置。
【請求項７】
前記第１下流分岐管の下流端に接続された第１口と、前記第２下流分岐管の下流端に接続された第２口と、前記吐出管の上流端に接続された第３口とを有する、吐出側三方弁を、さらに備え、
前記第１吸込側三方弁の第３口が、前記第１上流分岐管の下流端に接続されており、
前記第１バイパス管は、前記第１吸込側三方弁と前記第１ポンプとの間の前記第１下流分岐管から分岐し、前記第１ポンプと前記吐出側三方弁との間の前記第１下流分岐管に合流している、請求項１に記載の給水装置。
【請求項８】
前記第２下流分岐管の外部で、前記第２ポンプの上流側及び下流側どうしを連通する、第２バイパス管と、
前記第２バイパス管に設けられた第２逆止弁と、
をさらに備えた、請求項４又は７に記載の給水装置。
【請求項９】
上水道配水管に接続される吸込口と、需要先に接続される吐出口と、を備えた、給水装置において、
前記吸込口から延びる吸込管の分岐箇所からそれぞれ延びる第１上流分岐管及び第２上流分岐管と、
前記第１上流分岐管及び前記第２上流分岐管の下流側にそれぞれ配置された、第１下流分岐管及び第２下流分岐管と、
前記第１下流分岐管及び前記第２下流分岐管の下流側から前記吐出口まで延びる吐出管と、
前記第１上流分岐管に設けられた、第１開閉弁及びその下流側の第１逆流防止器と、
前記第２上流分岐管に設けられた、第２開閉弁及びその下流側の第２逆流防止器と、
前記第１下流分岐管及び前記第２下流分岐管にそれぞれ設けられた、第１ポンプ及び第２ポンプと、
前記第１ポンプの上流側で、前記第１上流分岐管の下流端と前記第１下流分岐管の上流端との接続箇所から分岐し、前記第１ポンプの下流側で、前記第１下流分岐管に合流する、第１バイパス管と、
前記第２ポンプの上流側で、前記第２上流分岐管の下流端と前記第２下流分岐管の上流端との接続箇所から分岐し、前記第２ポンプの下流側で、前記第２下流分岐管に合流する、第２バイパス管と、
前記第１バイパス管及び前記第２バイパス管にそれぞれ設けられた第１逆止弁及び第２逆止弁と、
前記第１下流分岐管の下流端に接続された第１口と、前記第２下流分岐管の下流端に接続された第２口と、前記吐出管の上流端に接続された第３口とを有する、吐出側三方弁と、
を備えた、給水装置。
【請求項１０】
前記第１逆流防止器及び前記第２逆流防止器の出口は、同一の水平方向に指向されており、
前記第１逆流防止器及び前記第２逆流防止器より下流側の前記第１上流分岐管及び前記第２上流分岐管の上側で、前記第１バイパス管、前記第２バイパス管、及び前記吐出側三方弁が、同一平面上に配置され、
前記第１下流分岐管及び前記第２下流分岐管は、それぞれ前記第１バイパス管及び前記第２バイパス管の上側に配置されており、
前記吐出管は、前記吐出側三方弁から下側へ延びている、請求項９に記載の給水装置。
【発明の詳細な説明】
【技術分野】
【０００１】
本発明は、給水装置に関する。
【背景技術】
【０００２】
従来より、商業建造物や集合住宅等、上水を大量に消費する需要先に、充分な水を供給するために、上水道配水管と需要先との間に給水装置が設置されることがある。このような給水装置としては、複数のポンプを並列に配置し、ポンプの吸込側及び吐出側どうしを連通するバイパス管を設け、バイパス管に逆止弁を設け、さらに、ポンプの吸込側に逆流防止器を設けたものが、知られている（例えば、特許文献１）。このような給水装置は、例えば昼間等の使用水量が多く、水道配管の圧力では十分な給水が可能でないときは、上水道配水管からの水をポンプで昇圧して需要先に送るが、例えば夜間等の使用水量の少なく、水道配管の圧力で十分給水が可能なときは、全てのポンプを停止させ、上水道配水管の水圧を利用して、上水道配水管からの水をバイパス管を通じて需要先に送るようにされる。複数のポンプを並列に設けることで、ポンプの故障等による給水停止を回避できるようにされている。逆流防止器は、第１逆止弁、第２逆止弁及び逃し弁の組合せからなり、需要先の水が上水道配水管に逆流するのを確実に防止するように構成されている。逆流防止器は、日本水道協会によって、ポンプの吸込側または吐出側に設けることが義務付けられている。逆流防止器の故障や点検時の給水停止を招かないようにするためには、複数の逆流防止器をポンプの吸込側または吐出側に並列に配置することが効果的であると考えられる。
【先行技術文献】
【特許文献】
【０００３】
【特許文献１】特許第４４３４３９２号
【発明の概要】
【発明が解決しようとする課題】
【０００４】
ところで、給水装置では、例えば逆流防止器、バイパス管に設けられた逆止弁等の弁、ポンプ等の構成部品について、定期的あるいは必要時に、点検や部品交換等のメンテナンスが行われる。例えば、逆流防止器については、定期的（例えば1年に1度）にメンテナンスする必要がある。また、バイパス管に設けられた逆止弁については、仮にこれに故障が生ずれば、ポンプ吐出側の圧力が低下して給水不能になる可能性があることから、メンテナンスの対象となることがある。
給水装置の構成部品のメンテナンス時では、給水装置全体の断水、すなわち給水停止は、なるべく回避されることが望ましい。特に逆流防止器のメンテナンス時では、給水装置の給水停止は、回避される必要がある。そのための対策案としては、各メンテナンス対象部品の上流側及び下流側に、それぞれ個別の切替弁を設け、ある部品のメンテナンス時には、当該部品の上流側及び下流側の切替弁を閉鎖し、他の流路は通水可能にすることが考えられる。しかし、その場合は切替弁の数が非常に多くなるため、給水装置の大型化や高コスト化のおそれがある。
【０００５】
本発明は、上記の課題を解決するためにされたものであり、メンテナンス時に給水停止を回避できる一方、給水装置の大型化や高コスト化を抑制できる、給水装置を提供することを目的とする。
【課題を解決するための手段】
【０００６】
上記目的を達成するための本発明の要旨構成は、次の通りである。
【０００７】
本発明の給水装置は、
上水道配水管に接続される吸込口と、需要先に接続される吐出口と、を備えた、給水装置において、
前記吸込口から延びる吸込管の分岐箇所からそれぞれ延びる第１上流分岐管及び第２上流分岐管と、
前記第１上流分岐管及び前記第２上流分岐管の下流側にそれぞれ配置された、第１下流分岐管及び第２下流分岐管と、
吸込側連通管と、
前記第１下流分岐管及び前記第２下流分岐管の下流側から前記給水装置の吐出口まで延びる吐出管と、
前記第１上流分岐管に設けられた、第１開閉弁及びその下流側の第１逆流防止器と、
前記第２上流分岐管に設けられた、第２開閉弁及びその下流側の第２逆流防止器と、
前記第１下流分岐管及び前記第２下流分岐管にそれぞれ設けられた、第１ポンプ及び第２ポンプと、
前記第１ポンプの上流側で前記第１下流分岐管の上流端に接続された第１口と、前記吸込側連通管の一端に接続された第２口と、第３口とを有する、第１吸込側三方弁と、
前記第２ポンプの上流側で前記第２下流分岐管の上流端に接続された第１口と、前記吸込側連通管の他端に接続された第２口と、前記第２上流分岐管の下流端に接続された第３口とを有する、第２吸込側三方弁と、
前記第１下流分岐管の外部で、前記第１ポンプの上流側及び下流側どうしを連通する、第１バイパス管と、
前記第１バイパス管に設けられた第１逆止弁と、
を備えている。
本発明の給水装置によれば、メンテナンス時に給水停止を回避できる一方、給水装置の大型化や高コスト化を抑制できる。
【０００８】
本発明の給水装置においては、
吐出側連通管と、
前記第１ポンプの下流側で前記第１下流分岐管の下流端に接続された第１口と、前記吐出側連通管の一端に接続された第２口と、第３口とを有する、第１吐出側三方弁と、
前記第２ポンプの下流側で前記第２下流分岐管の下流端に接続された第１口と、前記吐出側連通管の他端に接続された第２口とを有する、三方弁又は二方弁からなる第２吐出側切替弁と、
をさらに備え、
前記第１バイパス管は、前記第１吸込側三方弁の第３口と前記第１吐出側三方弁の第３口とを連通しており、
前記吐出側連通管には、前記第１吐出側三方弁と前記第２吐出側切替弁との間で、前記吐出管の上流端が接続されていると、好適である。
この構成によれば、より効果的に、メンテナンス時に給水停止を回避できる一方、給水装置の大型化や高コスト化を抑制できる。
【０００９】
本発明の給水装置においては、
前記第１上流分岐管の下流端が、前記第１吸込側三方弁と前記第２吸込側三方弁との間で、前記吸込側連通管に接続されており、
前記第１上流分岐管には、第１逆流防止器の下流側に、第３開閉弁が設けられていると、好適である。
この構成によれば、より効果的に、メンテナンス時に給水停止を回避できる一方、給水装置の大型化や高コスト化を抑制できる。
【００１０】
本発明の給水装置においては、
前記第１上流分岐管の下流端が、前記第１吸込側三方弁の第３口と前記第１バイパス管との接続箇所に接続されていると、好適である。
この構成によれば、より効果的に、メンテナンス時に給水停止を回避できる一方、給水装置の大型化や高コスト化を抑制できる。
【００１１】
本発明の給水装置においては、
前記第１逆流防止器及び前記第２逆流防止器より下流側の前記第１上流分岐管及び前記第２上流分岐管の上側で、前記第１吸込側三方弁、前記第２吸込側三方弁、前記第１吐出側三方弁、及び前記第２吐出側切替弁が、同一平面上に配置されており、
前記第１下流分岐管は、前記第１吸込側三方弁及び前記第１吐出側三方弁の上側に配置されており、
前記第２下流分岐管は、前記第２吸込側三方弁及び前記第２吐出側切替弁の上側に配置されていると、好適である。
この構成によれば、より効果的に、給水装置の大型化を抑制できる。
【００１２】
本発明の給水装置においては、
前記第１吸込側三方弁及び前記第１吐出側三方弁を、操作部の操作により同時に切り替えられるように構成された、第１回転軸と、
前記第２吸込側三方弁及び前記第２吐出側切替弁を、操作部の操作により同時に切り替えられるように構成された、第２回転軸と、
をさらに備えていると、好適である。
この構成によれば、給水装置の大型化をより効果的に抑制でき、また、操作性を向上できる。
【００１３】
本発明の給水装置においては、
前記第１下流分岐管の下流端に接続された第１口と、前記第２下流分岐管の下流端に接続された第２口と、前記吐出管の上流端に接続された第３口とを有する、吐出側三方弁を、さらに備え、
前記第１吸込側三方弁の第３口が、前記第１上流分岐管の下流端に接続されており、
前記第１バイパス管は、前記第１吸込側三方弁と前記第１ポンプとの間の前記第１下流分岐管から分岐し、前記第１ポンプと前記吐出側三方弁との間の前記第１下流分岐管に合流していると、好適である。
この構成によれば、より効果的に、メンテナンス時に給水停止を回避できる一方、給水装置の大型化や高コスト化を抑制できる。
【００１４】
本発明の給水装置においては、
前記第２下流分岐管の外部で、前記第２ポンプの上流側及び下流側どうしを連通する、第２バイパス管と、
前記第２バイパス管に設けられた第２逆止弁と、
をさらに備えていると、好適である。
この構成によれば、より効果的に、メンテナンス時に給水停止を回避できる。
【００１５】
本発明の他の給水装置は、
上水道配水管に接続される吸込口と、需要先に接続される吐出口と、を備えた、給水装置において、
前記吸込口から延びる吸込管の分岐箇所からそれぞれ延びる第１上流分岐管及び第２上流分岐管と、
前記第１上流分岐管及び前記第２上流分岐管の下流側にそれぞれ配置された、第１下流分岐管及び第２下流分岐管と、
前記第１下流分岐管及び前記第２下流分岐管の下流側から前記吐出口まで延びる吐出管と、
前記第１上流分岐管に設けられた、第１開閉弁及びその下流側の第１逆流防止器と、
前記第２上流分岐管に設けられた、第２開閉弁及びその下流側の第２逆流防止器と、
前記第１下流分岐管及び前記第２下流分岐管にそれぞれ設けられた、第１ポンプ及び第２ポンプと、
前記第１ポンプの上流側で、前記第１上流分岐管の下流端と前記第１下流分岐管の上流端との接続箇所から分岐し、前記第１ポンプの下流側で、前記第１下流分岐管に合流する、第１バイパス管と、
前記第２ポンプの上流側で、前記第２上流分岐管の下流端と前記第２下流分岐管の上流端との接続箇所から分岐し、前記第２ポンプの下流側で、前記第２下流分岐管に合流する、第２バイパス管と、
前記第１バイパス管及び前記第２バイパス管にそれぞれ設けられた第１逆止弁及び第２逆止弁と、
前記第１下流分岐管の下流端に接続された第１口と、前記第２下流分岐管の下流端に接続された第２口と、前記吐出管の上流端に接続された第３口とを有する、吐出側三方弁と、
を備えている。
本発明の他の給水装置によれば、メンテナンス時に給水停止を回避できる一方、給水装置の大型化や高コスト化を抑制できる。
【００１６】
本発明の他の給水装置においては、
前記第１逆流防止器及び前記第２逆流防止器の出口は、同一の水平方向に指向されており、  
前記第１逆流防止器及び前記第２逆流防止器より下流側の前記第１上流分岐管及び前記第２上流分岐管の上側で、前記第１バイパス管、前記第２バイパス管、及び前記吐出側三方弁が、同一平面上に配置され、
前記第１下流分岐管及び前記第２下流分岐管は、それぞれ前記第１バイパス管及び前記第２バイパス管の上側に配置されており、
前記吐出管は、前記吐出側三方弁から下側へ延びていると、好適である。
この構成によれば、より効果的に、給水装置の大型化を抑制できる。
【発明の効果】
【００１７】
本発明によれば、メンテナンス時に給水停止を回避できる一方、給水装置の大型化や高コスト化を抑制できる、給水装置を提供することができる。
【図面の簡単な説明】
【００１８】
【図１】本発明の第１実施形態に係る給水装置の概略的な配管回路図である。
【図２】本発明の第１実施形態に係る給水装置の一例の外観を示しており、図２（ａ）は左側の側面図、図２（ｂ）は正面図、図２（ｃ）は右側の側面図である。
【図３】図２の給水装置の一部を示す斜視図であり、図３（ａ）は左側から観た様子を示しており、図３（ｂ）は右側から観た様子を示している。
【図４】図４（ａ）は図２の給水装置の一部を後側から観た様子を示す斜視図であり、図４（ｂ）は図２の給水装置の一部を示す分解斜視図である。
【図５】本発明の第２実施形態に係る給水装置の概略的な配管回路図である。
【図６】図５の給水装置が別の状態にあるときの様子を示す、概略的な配管回路図である。
【図７】本発明の第３実施形態に係る給水装置の概略的な配管回路図である。
【図８】本発明の第３実施形態に係る給水装置の一例の一部を示す斜視図であり、図８（ａ）は右側から観た様子を示しており、図８（ｂ）は後側から観た様子を示している。
【図９】本発明の第４実施形態に係る給水装置の概略的な配管回路図である。
【図１０】図９の給水装置が別の状態にあるときの様子を示す、概略的な配管回路図である。
【図１１】図９の給水装置がさらに別の状態にあるときの様子を示す、概略的な配管回路図である。
【図１２】本発明の第４実施形態に係る給水装置の一例の一部を示す斜視図であり、図１２（ａ）は右側から観た様子を示しており、図１２（ｂ）は後側から観た様子を示している。
【発明を実施するための形態】
【００１９】
以下、本発明の実施形態について、図面を参照して詳細に例示説明する。
本発明の給水装置は、商業建造物や集合住宅等、上水を大量に消費する需要先に、充分な水を供給するために、上水道配水管と需要先との間に設置されるように構成された、直結給水式の給水装置である。本発明の給水装置は、キャビネット型の給水装置として構成されると特に好適なものであるが、据置型の給水装置として構成されても好適なものである。
【００２０】
〔第１実施形態〕  
本発明の第１実施形態について、図１〜図４を参照しながら説明する。図１は、第１実施形態に係る給水装置１の概略的な配管回路図である。図２〜図４は、第１実施形態に係る給水装置１の一例の外観を示しており、図１を参照して後述する配管回路構成を備えるものである。ただし、第１実施形態に係る給水装置１は、図１を参照して後述する配管回路構成を備えるものである限り、任意の外観構成（三次元構成）を有してよい。
本実施形態の給水装置１は、高層集合住宅等の水の需要先に充分な給水をするために用いられる、直結給水式給水装置であり、キャビネット型の給水装置として構成されると特に好適なものであるが、据置型の給水装置として構成されても好適なものである。図２〜図４の例では、本実施形態の給水装置１は、キャビネット型の給水装置として構成されている。
【００２１】
まず、図１を参照して、第１実施形態の給水装置１の配管回路について説明する。
図１において、本実施形態の給水装置１は、上水道配水管に接続される吸込口１ａと、需要先に接続される吐出口１ｂと、を備えている。給水装置１は、吸込口１ａと吐出口１ｂとの間の配管に、給水装置１の吸込口１ａから延びる吸込管ｒ０の分岐箇所からそれぞれ延びる第１上流分岐管ｒ１及び第２上流分岐管ｒ２と、第１上流分岐管ｒ１及び第２上流分岐管ｒ２の下流側にそれぞれ配置された、第１下流分岐管ｍ１及び第２下流分岐管ｍ２と、第１下流分岐管ｍ１及び第２下流分岐管ｍ２の下流側から給水装置１の吐出口１ｂまで延びる吐出管ｒ３と、を備えている。なお、吸込管ｒ０、第１上流分岐管ｒ１、第２上流分岐管ｒ２、第１下流分岐管ｍ１、第２下流分岐管ｍ２、吐出管ｒ３は、それぞれ、図１のような配管回路を観たときの配管部分を指しているにすぎず、実際の外観構成においては、１本の管から構成されてもよいし、複数本の管を連結して構成されてもよいし、あるいは、互いに一体に構成されてもよい。
本実施形態の給水装置１は、２台のポンプＰ１、Ｐ２を並列に設けているとともに、各ポンプＰ１、Ｐ２の上流側で、２つの逆流防止器ＢＰ１、ＢＰ２を並列に設けている。
【００２２】
吸込管ｒ０には、圧力発信器ＰＴ１が設けられている。
第１上流分岐管ｒ１には、第１開閉弁ＧＶ１１と、その下流側のストレーナＳＴＲ１と、その下流側の第１逆流防止器ＢＰ１とが、設けられている。第２上流分岐管ｒ２には、第２開閉弁ＧＶ１２と、その下流側のストレーナＳＴＲ２と、その下流側の第２逆流防止器ＢＰ２とが、設けられている。すなわち、第１開閉弁ＧＶ１１、ストレーナＳＴＲ１、及び第１逆流防止器ＢＰ１は、それぞれ第２開閉弁ＧＶ１２、ストレーナＳＴＲ２、及び第２逆流防止器ＢＰ２に対して、並列に配置されている。
本明細書において、「開閉弁」とは、流路を開閉可能に構成された、切替弁である。
第１逆流防止器ＢＰ１及び第２逆流防止器ＢＰ２は、それぞれ、図示しない第１逆止弁、第２逆止弁及び逃し弁の組合せからなり、需要先の水が上水道配水管に逆流するのを防止するように構成されている。
ただし、ストレーナＳＴＲ１、ＳＴＲ２は、本例とは異なる位置に配置されてもよい。
【００２３】
第１下流分岐管ｍ１には、第１ポンプＰ１と、その下流側（吐出側）の逆止弁ＣＶ１１とが、設けられている。第２下流分岐管ｍ２には、第２ポンプＰ２と、その下流側（吐出側）の逆止弁ＣＶ１２とが、設けられている。すなわち、第１ポンプＰ１、逆止弁ＣＶ１１は、それぞれ第２ポンプＰ２、逆止弁ＣＶ１２に対して、並列に配置されている。
逆止弁ＣＶ１１、ＣＶ１２は、それぞれ、下流側への水の通過を許容するがその逆を許容しないように構成されている。
ただし、逆止弁ＣＶ１１、ＣＶ１２は、本例とは異なる位置に配置されてもよい。
【００２４】
本実施形態の給水装置１は、さらに、第１ポンプＰ１の上流側で、第１上流分岐管ｒ１の下流端と第１下流分岐管ｍ１の上流端との接続箇所から分岐し、第１ポンプＰ１の下流側で、第１下流分岐管ｍ１に合流する、第１バイパス管ｂ１と、第２ポンプＰ２の上流側で、第２上流分岐管ｒ２の下流端と第２下流分岐管ｍ２の上流端との接続箇所から分岐し、第２ポンプＰ２の下流側で、第２下流分岐管ｍ２に合流する、第２バイパス管ｂ２とを、備えている。第１バイパス管ｂ１、第２バイパス管ｂ２には、それぞれ第１逆止弁ＣＶ２１、第２逆止弁ＣＶ２２が、設けられている。第１逆止弁ＣＶ２１、第２逆止弁ＣＶ２２は、それぞれ、下流側への水の通過を許容するがその逆を許容しないように構成されている。
【００２５】
以下では、便宜のため、第１下流分岐管ｍ１、第１バイパス管ｂ１、及びこれらに設けられた各構成要素を、まとめて「第１ポンプ系統Ｓ１」と呼び、第２下流分岐管ｍ２、第２バイパス管ｂ２、及びこれらに設けられた各構成要素を、まとめて、「第２ポンプ系統Ｓ２」と呼ぶ。第１ポンプ系統Ｓ１は、第２ポンプ系統Ｓ２に対して、並列に配置されている。
【００２６】
本実施形態の給水装置１は、さらに、第１ポンプ系統Ｓ１と第２ポンプ系統Ｓ２との合流箇所に設けられた、吐出側三方弁ＧＶ２０を備えている。吐出側三方弁ＧＶ２０は、第１下流分岐管ｍ１の下流端に接続された第１口ｖ１と、第２下流分岐管ｍ２の下流端に接続された第２口ｖ２と、吐出管ｒ３の上流端に接続された第３口ｖ３とを有する。
本例において、吐出側三方弁ＧＶ２０は、第１口ｖ１、第２口ｖ２、及び第３口ｖ３の全てを開放した状態と、第１口ｖ１、第２口ｖ２、及び第３口ｖ３のいずれか１つを閉鎖して残り２つを開放した状態とを、切り替えることにより、流路の切り換えができるように構成された、切替弁である。
【００２７】
図１の例において、吐出管ｒ３には、上流側から下流側に向かう順番に、圧力発信器ＰＴ２、圧力タンクＤＰＴ、開閉弁ＧＶ３０が、設けられている。ただし、圧力発信器ＰＴ２、圧力タンクＤＰＴ、開閉弁ＧＶ３０は、それぞれ、本例とは異なる位置に配置されてもよい。
【００２８】
本例において、第１開閉弁ＧＶ１１、第２開閉弁ＧＶ１２、吐出側三方弁ＧＶ２０、及び開閉弁ＧＶ３０は、それぞれ、手動によって切り替えられるように構成されているが、電気制御によって切り替えられるように構成されてもよい。
【００２９】
このように構成された給水装置は、例えば昼間等の使用水量が多く、水道配管の圧力では十分な給水が可能でないときは、第１ポンプＰ１及び第２ポンプＰ２を例えば交互に又は同時に運転させる等して、上水道配水管からの水を第１ポンプＰ１及び第２ポンプＰ２の少なくとも一方で昇圧して需要先に送るが、例えば夜間等の使用水量の少なく、水道配管の圧力で十分給水が可能なときは、両方のポンプＰ１、Ｐ２を停止させ、上水道配水管の水圧を利用して、上水道配水管からの水を第１バイパス管ｂ１、第２バイパス管ｂ２を通じて需要先に送るようにされている。２台のポンプＰ１、Ｐ２を並列に設けているので、いずれか一方のポンプが故障やメンテナンスによって運転できなくても、他方のポンプを運転させることで、給水装置１全体の給水停止を回避できるようにされている。また、２つの逆流防止器ＢＰ１、ＢＰ２を並列に設けているので、いずれか一方の逆流防止器が故障やメンテナンスによって使用できなくても、他方の逆流防止器を使用することで、給水装置１全体の給水停止を回避できるようにされている。
【００３０】
つぎに、図１の給水装置１において、一部の構成部品について、点検や部品交換等のメンテナンスをする際の動作例を、説明する。図１において、白抜き矢印は、その流路が通水可能であることを表しており、ハッチは、その流路が閉鎖されていることを表している。
第１逆流防止器ＢＰ１をメンテナンスする場合は、例えば、図１に示すように、第１開閉弁ＧＶ１１を閉鎖し、吐出側三方弁ＧＶ２０の第１口ｖ１を閉鎖し、その他の各弁を開放する。これにより、第１開閉弁ＧＶ１１から吐出側三方弁ＧＶ２０までの流路は閉鎖されるので、第１逆流防止器ＢＰ１のメンテナンスが可能となる。この間、通水は、第２開閉弁ＧＶ１２、第２ポンプ系統Ｓ２、吐出側三方弁ＧＶ２０、吐出管ｒ３を通る流路で可能であるため、給水装置１全体の断水ひいては給水停止は回避される。なお、この状態では、第１ポンプ系統Ｓ１側全体が閉鎖されるため、第１ポンプＰ１、逆止弁ＣＶ１１、第１バイパス管ｂ１に設けられた逆止弁ＣＶ２１のメンテナンスも可能となる。
第２逆流防止器ＢＰ２をメンテナンスする場合は、例えば、図示は省略するが、第１開閉弁ＧＶ１２を閉鎖し、吐出側三方弁ＧＶ２０の第２口ｖ２を閉鎖し、その他の各弁を開放する。この場合も、給水装置１全体の断水ひいては給水停止は回避される。なお、この状態では、第２ポンプ系統Ｓ２側全体が閉鎖されるため、第２ポンプＰ２、逆止弁ＣＶ１２、第２バイパス管ｂ２側の逆止弁ＣＶ２２のメンテナンスも可能となる。
【００３１】
このように、第１実施形態では、第１開閉弁ＧＶ１１及び第２開閉弁ＧＶ１２と吐出側三方弁ＧＶ２０との間に、給水装置１の運転に必要な主要部品を、ポンプＰ１、Ｐ２毎に独立して設置している。よって、第１開閉弁ＧＶ１１又は第２開閉弁ＧＶ１２と吐出側三方弁ＧＶ２０とを切り替えることにより、一方のポンプ側の流路を使用して給水を継続しつつ、他方のポンプ側の全部品のメンテナンスが可能となる。
また、切替弁（第１開閉弁ＧＶ１１、第２開閉弁ＧＶ１２、吐出側三方弁ＧＶ２０、開閉弁ＧＶ３０）の総数は、４つと極めて少数にすることが可能となる。よって、その分、配管系統の設置スペースを削減でき、ひいては、給水装置１をコンパクト化できる。このことは、給水装置１が、コンパクト化への要望が高いキャビネット型の給水装置として構成されている場合に、特に有利である。また、切替弁の総数を少なくできる分、給水装置のコストを低減できる。
以上より、本実施形態の給水装置１によれば、メンテナンス時に給水停止を回避できる一方、給水装置の大型化や高コスト化を抑制できる。
【００３２】
図２〜図４に示す給水装置１は、キャビネット型に構成されており、図１を参照して説明した配管回路構成を備えるものである。
図２に示すように、この給水装置１は、吸込口１ａから吐出口１ｂまでの配管が、縦長で薄いキャビネット２に収容されている。なお、図２では、便宜上、キャビネット２の枠部材のみを示しており、キャビネット２の外板及び扉の図示を省略している。
図３及び図４に示すように、第１逆流防止器ＢＰ１及び第２逆流防止器ＢＰ２の出口は、同一の水平方向を向くように、同一の水平方向に指向されており、図の例では、給水装置１を正面視したときの右方向に指向されている。これにより、第１逆流防止器ＢＰ１及び第２逆流防止器ＢＰ２より下流側の第１上流分岐管ｒ１及び第２上流分岐管ｒ２が、第１逆流防止器ＢＰ１及び第２逆流防止器ＢＰ２の横側（図の例では、給水装置１を正面視したときの右側）に配置されている。そして、第１逆流防止器ＢＰ１及び第２逆流防止器ＢＰ２より下流側の第１上流分岐管ｒ１及び第２上流分岐管ｒ２の上側では、第１バイパス管ｂ１、第２バイパス管ｂ２、及び吐出側三方弁ＧＶ２０が、同一平面上に配置されている。また、第１下流分岐管ｍ１及び第２下流分岐管ｍ２（ひいては第１ポンプＰ１及び第２ポンプＰ２）は、それぞれ第１バイパス管ｂ１及び第２バイパス管ｂ２の上側に配置されている。吐出管ｒ３は、吐出側三方弁ＧＶ２０から下側へ延びている。この構成によれば、第１逆流防止器ＢＰ１及び第２逆流防止器ＢＰ２より下流側の配管が水平方向に広がるのを抑制でき、ひいては設置スペースの拡大を抑制できるので、給水装置の大型化を抑制できる。
【００３３】
なお、図３に示すように、本例において、第１開閉弁ＧＶ１１、第２開閉弁ＧＶ１２、吐出側三方弁ＧＶ２０、開閉弁ＧＶ３０は、それぞれ、ハンドル又は摘み等の操作部ｏ１１、ｏ１２、ｏ２０、ｏ３０の操作によって回転軸ｓ１１、ｓ１２、ｓ２０、ｓ３０が回転されることにより、切り替えられるように構成されている。
また、図４（ｂ）に第２バイパス管ｂ２について示すように、第１バイパス管ｂ１及び第２バイパス管ｂ２に設けられた第１逆止弁ＣＶ２１、第２逆止弁ＣＶ２２は、それぞれ第１バイパス管ｂ１及び第２バイパス管ｂ２の内部に収容されている。
【００３４】
〔第２実施形態〕
本発明の第２実施形態について、図５〜図６を参照しながら、第１実施形態とは異なる点を中心に、説明する。図５〜図６は、第２実施形態に係る給水装置１の概略的な配管回路図であり、それぞれ別々の状態を表している。
本実施形態の給水装置１は、高層集合住宅等の水の需要先に充分な給水をするために用いられる、直結給水式給水装置であり、キャビネット型の給水装置として構成されると特に好適なものであるが、据置型の給水装置として構成されても好適なものである。
第１実施形態では、第１逆流防止器ＢＰ１又は第２逆流防止器ＢＰ２をメンテナンスする際に、第１ポンプ系統Ｓ１又は第２ポンプ系統Ｓ２の通水が閉鎖されてしまうため、その間、第１ポンプＰ１又は第２ポンプＰ２のいずれか１台のみでしか運転できない。第２実施形態は、その点を改善できるものである。
【００３５】
第２実施形態の給水装置１は、第１逆流防止器ＢＰ１及び第２逆流防止器ＢＰ２と、第１ポンプ系統Ｓ１及び第２ポンプ系統Ｓ２との間に、吸込側連通管ｃ１０によって互いに連通された第１吸込側三方弁ＧＶ４１及び第２吸込側三方弁ＧＶ４２が設けられている点で、第１実施形態とは異なる。
【００３６】
より具体的に、第１吸込側三方弁ＧＶ４１は、第１ポンプＰ１の上流側で第１下流分岐管ｍ１の上流端に接続された第１口ｖ１と、吸込側連通管ｃ１０の一端に接続された第２口ｖ２と、第１上流分岐管ｒ１の下流端に接続された第３口ｖ３とを有する。
第２吸込側三方弁ＧＶ４２は、第２ポンプＰ２の上流側で第２下流分岐管ｍ２の上流端に接続された第１口ｖ１と、吸込側連通管ｃ１０の他端に接続された第２口ｖ２と、第２上流分岐管ｒ２の下流端に接続された第３口ｖ３とを有する。
本例において、第１吸込側三方弁ＧＶ４１、第２吸込側三方弁ＧＶ４２は、それぞれ、第１口ｖ１、第２口ｖ２、及び第３口ｖ３の全てを開放した状態と、第１口ｖ１、第２口ｖ２、及び第３口ｖ３のいずれか１つを閉鎖して残り２つを開放した状態とを、切り替えることにより、流路の切り換えができるように構成された、切替弁である。
【００３７】
第１バイパス管ｂ１は、第１下流分岐管ｍ１の外部で、第１ポンプＰ１の上流側及び下流側どうしを連通しており、より具体的には、第１吸込側三方弁ＧＶ４１と第１ポンプＰ１との間の第１下流分岐管ｍ１から分岐し、第１ポンプＰ１と吐出側三方弁ＧＶ２０との間の第１下流分岐管ｍ１に合流している。
第２バイパス管ｂ２は、第２下流分岐管ｍ２の外部で、第２ポンプＰ２の上流側及び下流側どうしを連通しており、より具体的には、第２吸込側三方弁ＧＶ４２と第２ポンプＰ２との間の第２下流分岐管ｍ２から分岐し、第２ポンプＰ２と吐出側三方弁ＧＶ２０との間の第２下流分岐管ｍ２に合流している。
ただし、本実施形態では、第１バイパス管ｂ１、第２バイパス管ｂ２のいずれか一方を省略してもよい。
【００３８】
本例において、第１開閉弁ＧＶ１１、第２開閉弁ＧＶ１２、第１吸込側三方弁ＧＶ４１、第２吸込側三方弁ＧＶ４２、吐出側三方弁ＧＶ２０、及び開閉弁ＧＶ３０は、それぞれ、手動によって切り替えられるように構成されているが、電気制御によって切り替えられるように構成されてもよい。
上記以外の構成は、第１実施形態と同じである。
【００３９】
つぎに、図５〜図６の給水装置１において、一部の構成部品について、点検や部品交換等のメンテナンスをする際の動作を、説明する。図１において、白抜き矢印は、その流路が通水可能であることを表しており、ハッチは、その流路が閉鎖されていることを表している。
第１逆流防止器ＢＰ１をメンテナンスする場合は、例えば、図５に示すように、第１開閉弁ＧＶ１１を閉鎖し、第１吸込側三方弁ＧＶ４１の第３口ｖ３を閉鎖し、その他の各弁を開放する。これにより、第１開閉弁ＧＶ１１から第１吸込側三方弁ＧＶ４１までの流路は閉鎖されるので、第１逆流防止器ＢＰ１のメンテナンスが可能となる。この間、通水は、第２開閉弁ＧＶ１２、第２吸込側三方弁ＧＶ４２、第２ポンプ系統Ｓ２（第２下流分岐管ｍ２及び第２バイパス管ｂ２）、吐出側三方弁ＧＶ２０、吐出管ｒ３を通る流路で可能であるとともに、第２開閉弁ＧＶ１２、第２吸込側三方弁ＧＶ４２、吸込側連通管ｃ１０、第１吸込側三方弁ＧＶ４１、第１ポンプ系統Ｓ１（第１下流分岐管ｍ１及び第１バイパス管ｂ１）、吐出側三方弁ＧＶ２０、吐出管ｒ３を通る流路でも可能である。よって、給水装置１全体の断水は回避される。また、吸込側連通管ｃ１０によって第１吸込側三方弁ＧＶ４１及び第２吸込側三方弁ＧＶ４２が互いに連通されていることにより、第１ポンプ系統Ｓ１及び第２ポンプ系統Ｓ２の両方へ通水可能となり、ひいては第１ポンプＰ１及び第２ポンプＰ２の２台での運転が可能となる。また、仮に第１バイパス管ｂ１又は第２バイパス管ｂ２のいずれか一方を省略した構成としても、他方のバイパス管に通水が可能であり、依然としてバイパス管を介した給水が可能である。
第２逆流防止器ＢＰ２をメンテナンスする場合は、例えば、図示は省略するが、第２開閉弁ＧＶ１２を閉鎖し、第２吸込側三方弁ＧＶ４２の第３口ｖ３を閉鎖し、その他の各弁を開放する。これにより、第２開閉弁ＧＶ１２から第２吸込側三方弁ＧＶ４２までの流路は閉鎖されるので、第２逆流防止器ＢＰ２のメンテナンスが可能となる。この場合も、給水装置１全体の断水は回避される。また、第１ポンプ系統Ｓ１及び第２ポンプ系統Ｓ２の両方へ通水可能となり、ひいては第１ポンプＰ１及び第２ポンプＰ２の２台での運転が可能となる。また、仮に第１バイパス管ｂ１又は第２バイパス管ｂ２のいずれか一方を省略した構成としても、他方のバイパス管に通水が可能であり、依然としてバイパス管を介した給水が可能である。
【００４０】
第１バイパス管ｂ１に設けられた第１逆止弁ＣＶ２１をメンテナンスする場合は、例えば、図６に示すように、第１吸込側三方弁ＧＶ４１の第１口ｖ１を閉鎖し、吐出側三方弁ＧＶ２０の第１口ｖ１を閉鎖し、その他の各弁を開放する。これにより、第１吸込側三方弁ＧＶ４１から吐出側三方弁ＧＶ２０までの流路（第１ポンプ系統Ｓ１の流路）は閉鎖されるので、第１バイパス管ｂ１に設けられた第１逆止弁ＣＶ２１のメンテナンスが可能となる。なお、この状態では、第１ポンプ系統Ｓ１側全体が閉鎖されるため、第１ポンプＰ１及び逆止弁ＣＶ１１のメンテナンスも可能となる。この間、通水は、第２開閉弁ＧＶ１２、第２吸込側三方弁ＧＶ４２、第２ポンプ系統Ｓ２、吐出側三方弁ＧＶ２０、吐出管ｒ３を通る流路で可能であるとともに、第１開閉弁ＧＶ１１、第１吸込側三方弁ＧＶ４１、吸込側連通管ｃ１０、第２吸込側三方弁ＧＶ４２、第２ポンプ系統Ｓ２、吐出側三方弁ＧＶ２０、吐出管ｒ３を通る流路でも可能である。よって、給水装置１全体の断水は回避される。
第２バイパス管ｂ２に設けられた第２逆止弁ＣＶ２２をメンテナンスする場合は、例えば、図示は省略するが、第２吸込側三方弁ＧＶ４２の第１口ｖ１を閉鎖し、吐出側三方弁ＧＶ２０の第２口ｖ２を閉鎖し、その他の各弁を開放する。これにより、第２吸込側三方弁ＧＶ４２から吐出側三方弁ＧＶ２０までの流路（第２ポンプ系統Ｓ２の流路）は閉鎖されるので、第２バイパス管ｂ２に設けられた第２逆止弁ＣＶ２２のメンテナンスが可能となる。なお、この状態では、第２ポンプ系統Ｓ２側全体の通水が閉鎖されるため、第２ポンプＰ２及び逆止弁ＣＶ１２のメンテナンスも可能となる。この場合も、給水装置１全体の断水は回避される。
【００４１】
このように、第２実施形態では、第１実施形態と同様に、給水装置１の構成部品をメンテナンスする際に、断水ひいては給水停止を回避できる。
また、第２実施形態では、第１実施形態とは異なり、第１逆流防止器ＢＰ１又は第２逆流防止器ＢＰ２をメンテナンスする際に、第１ポンプ系統Ｓ１及び第２ポンプ系統Ｓ２の両方に通水が可能であるため、その間、第１ポンプＰ１及び第２ポンプＰ２の２台での運転が可能となる。
また、切替弁（第１開閉弁ＧＶ１１、第２開閉弁ＧＶ１２、第１吸込側三方弁ＧＶ４１、第２吸込側三方弁ＧＶ４２、吐出側三方弁ＧＶ２０、開閉弁ＧＶ３０）の総数は、６つとなり、第１実施形態よりはやや多いものの、仮に各メンテナンス対象部品の上流側及び下流側に、それぞれ切替弁を設ける場合に比べれば、依然として削減できている。よって、その分、配管系統の設置スペースが削減でき、ひいては、給水装置１をコンパクト化できる。このことは、給水装置１が、コンパクト化への要望が高いキャビネット型の給水装置として構成されている場合に、特に有利である。また、切替弁の総数を少なくできる分、給水装置のコストを低減できる。
以上より、本実施形態の給水装置１によれば、メンテナンス時に給水停止を回避できる一方、給水装置の大型化や高コスト化を抑制できる。
【００４２】
なお、第２実施形態の給水装置１の外観構成の一例については、図示は省略するが、第１実施形態に係る図２〜図４の例と大体同様とすることができる。
例えば、第１逆流防止器ＢＰ１及び第２逆流防止器ＢＰ２の出口は、同一の水平方向に指向されており、これにより、第１逆流防止器ＢＰ１及び第２逆流防止器ＢＰ２より下流側の第１上流分岐管ｒ１及び第２上流分岐管ｒ２が、第１逆流防止器ＢＰ１及び第２逆流防止器ＢＰ２の横側に配置される。そして、第１逆流防止器ＢＰ１及び第２逆流防止器ＢＰ２より下流側の第１上流分岐管ｒ１及び第２上流分岐管ｒ２の上側では、第１吸込側三方弁ＧＶ４１、第２吸込側三方弁ＧＶ４２、吐出側三方弁ＧＶ２０が、同一平面上に配置されている。第１バイパス管ｂ１、第２バイパス管ｂ２は、それぞれ第１吸込側三方弁ＧＶ４１、第２吸込側三方弁ＧＶ４２の下側に配置される。また、第１下流分岐管ｍ１及び第２下流分岐管ｍ２（ひいては第１ポンプＰ１及び第２ポンプＰ２）は、それぞれ第１吸込側三方弁ＧＶ４１、第２吸込側三方弁ＧＶ４２の上側に配置される。吐出管ｒ３は、吐出側三方弁ＧＶ２０から下側へ延びる。この構成によれば、第１逆流防止器ＢＰ１及び第２逆流防止器ＢＰ２より下流側の配管が水平方向に広がるのを抑制でき、ひいては設置スペースの拡大を抑制できるので、給水装置の大型化を抑制できる。
なお、本例において、第１開閉弁ＧＶ１１、第２開閉弁ＧＶ１２、第１吸込側三方弁ＧＶ４１、第２吸込側三方弁ＧＶ４２、吐出側三方弁ＧＶ２０、開閉弁ＧＶ３０は、それぞれ、操作部ｏ１１、ｏ１２、ｏ４１、ｏ４２、ｏ２０、ｏ３０（図示略）の操作によって回転軸ｓ１１、ｓ１２、ｓ４１、ｓ４２、ｓ２０、ｓ３０（図示略）が回転されることにより、切り替えられるように構成されている。
また、第１バイパス管ｂ１及び第２バイパス管ｂ２に設けられた第１逆止弁ＣＶ２１、第２逆止弁ＣＶ２２は、それぞれ第１バイパス管ｂ１及び第２バイパス管ｂ２の内部に収容されている。
その他の構成は、第１実施形態に係る図２〜図４の例と同様である。
ただし、第２実施形態に係る給水装置１は、図５〜図６を参照して説明した配管回路構成を備えるものである限り、任意の外観構成（三次元構成）を有してよい。
【００４３】
〔第３実施形態〕
本発明の第３実施形態について、図７〜図８を参照しながら、第２実施形態とは異なる点を中心に、説明する。図７は、第３実施形態に係る給水装置１の概略的な配管回路図である。図８は、第３実施形態に係る給水装置１の一例の外観を示しており、図７を参照して後述する配管回路構成を備えるものである。ただし、第３実施形態に係る給水装置１は、図７を参照して後述する配管回路構成を備えるものである限り、任意の外観構成（三次元構成）を有してよい。
本実施形態の給水装置１は、高層集合住宅等の水の需要先に充分な給水をするために用いられる、直結給水式給水装置であり、キャビネット型の給水装置として構成されると特に好適なものであるが、据置型の給水装置として構成されても好適なものである。
第２実施形態では、第１バイパス管ｂ１に設けられた第１逆止弁ＣＶ２１、又は、第２バイパス管ｂ２に設けられた第２逆止弁ＣＶ２２をメンテナンスする際に、第１ポンプ系統Ｓ１又は第２ポンプ系統Ｓ２の通水が閉鎖されてしまうため、その間、第１ポンプＰ１又は第２ポンプＰ２のいずれか１台のみでしか運転できない。第３実施形態は、その点を改善できるものである。
【００４４】
第３実施形態の給水装置１は、第２実施形態の吐出側三方弁ＧＶ２０に代えて、吐出側連通管ｃ２０によって互いに連通された第１吐出側三方弁ＧＶ２１及び第２吐出側切替弁ＧＶ２２が設けられており、また、第１バイパス管ｂ１が、第１吸込側三方弁ＧＶ４１の第３口ｖ３と第１吐出側三方弁ＧＶ２１の第３口ｖ３とを連通しており、第２バイパス管ｂ２が、第２吸込側三方弁ＧＶ４２の第３口ｖ３と第２吐出側切替弁ＧＶ２２の第３口ｖ３とを連通している点で、第１実施形態とは異なる。
【００４５】
より具体的に、第１吐出側三方弁ＧＶ２１は、第１ポンプＰ１の下流側で第１下流分岐管ｍ１の下流端に接続された第１口ｖ１と、吐出側連通管ｃ２０の一端に接続された第２口ｖ２と、第１バイパス管ｂ１の下流端に接続された第３口ｖ３とを有する。
第２吐出側切替弁ＧＶ２２は、第２ポンプＰ２の下流側で第２下流分岐管ｍ２の下流端に接続された第１口ｖ１と、吐出側連通管ｃ２０の他端に接続された第２口ｖ２とを有する。図７の例や図８の例において、第２吐出側切替弁ＧＶ２２は、さらに第３口ｖ３を有する三方弁からなるが、第３口を有しない二方弁（開閉弁）からなるものでもよい。図７の例において、第２吐出側切替弁ＧＶ２２の第３口ｖ３は、第２バイパス管ｂ２の下流端に接続されている。
本例において、第１吐出側三方弁ＧＶ２１、第２吐出側切替弁ＧＶ２２は、それぞれ、第１口ｖ１、第２口ｖ２、及び第３口ｖ３の全てを開放した状態と、第１口ｖ１、第２口ｖ２、及び第３口ｖ３のいずれか１つを閉鎖して残り２つを開放した状態とを、切り替えることにより、流路の切り換えができるように構成された、切替弁である。
吐出側連通管ｃ２０には、第１吐出側三方弁ＧＶ２１と第２吐出側切替弁ＧＶ２２との間で、吐出管ｒ３の上流端が接続されている。
【００４６】
第１上流分岐管ｒ１の下流端は、第１吸込側三方弁ＧＶ４１の第３口ｖ３と第１バイパス管ｂ１との接続箇所に接続されている。いいかえれば、第１上流分岐管ｒ１の下流端と第１バイパス管ｂ１の上流端とが、合流して、第１吸込側三方弁ＧＶ４１の第３口ｖ３に接続されている。
第２上流分岐管ｒ２の下流端は、第２吸込側三方弁ＧＶ４２の第３口ｖ３と第２バイパス管ｂ２との接続箇所に接続されている。いいかえれば、第２上流分岐管ｒ２の下流端と第２バイパス管ｂ２の上流端とが、合流して、第２吸込側三方弁ＧＶ４２の第３口ｖ３に接続されている。
ただし、本実施形態では、第１バイパス管ｂ１、第２バイパス管ｂ２のいずれか一方を省略してもよい。その場合は、省略したバイパス管に対応するほうの第１吐出側三方弁ＧＶ２１又は第２吐出側切替弁ＧＶ２２の第３口ｖ３を、キャップ又は筐体で覆う等して、常に閉状態に維持するとよい。
【００４７】
本例において、第１開閉弁ＧＶ１１、第２開閉弁ＧＶ１２、第１吸込側三方弁ＧＶ４１、第２吸込側三方弁ＧＶ４２、第１吐出側三方弁ＧＶ２１、第２吐出側切替弁ＧＶ２２、及び開閉弁ＧＶ３０は、それぞれ、手動によって切り替えられるように構成されているが、電気制御によって切り替えられるように構成されてもよい。
上記以外の構成は、第２実施形態と同じである。
【００４８】
つぎに、図７の給水装置１において、一部の構成部品について、点検や部品交換等のメンテナンスをする際の動作を、説明する。図７において、白抜き矢印は、その流路が通水可能であることを表しており、ハッチは、その流路が閉鎖されていることを表している。
第１逆流防止器ＢＰ１をメンテナンスする場合は、例えば、図７に示すように、第１開閉弁ＧＶ１１を閉鎖し、第１吸込側三方弁ＧＶ４１の第３口ｖ３を閉鎖し、第１吐出側三方弁ＧＶ２１の第３口ｖ３を閉鎖し、その他の各弁を開放する。これにより、第１開閉弁ＧＶ１１から第１吸込側三方弁ＧＶ４１、第１バイパス管ｂ１を介して第１吐出側三方弁ＧＶ２１までの流路が、閉鎖されるので、第１逆流防止器ＢＰ１のメンテナンスが可能となる。また、この状態において、第１バイパス管ｂ１に設けられた第１逆止弁ＣＶ２１のメンテナンスも可能である。この間、通水は、第２開閉弁ＧＶ１２、第２吸込側三方弁ＧＶ４２、第２ポンプ系統Ｓ２（第２下流分岐管ｍ２及び第２バイパス管ｂ２）、第２吐出側切替弁ＧＶ２２、吐出管ｒ３を通る流路で可能であるとともに、第２開閉弁ＧＶ１２、第２吸込側三方弁ＧＶ４２、吸込側連通管ｃ１０、第１吸込側三方弁ＧＶ４１、第１下流分岐管ｍ１、第１吐出側三方弁ＧＶ２１、吐出管ｒ３を通る流路でも可能である。よって、給水装置１全体の断水は回避される。また、吸込側連通管ｃ１０によって第１吸込側三方弁ＧＶ４１及び第２吸込側三方弁ＧＶ４２が互いに連通されていることにより、第１ポンプＰ１及び第２ポンプＰ２の両方へ通水可能となり、ひいては第１ポンプＰ１及び第２ポンプＰ２の２台での運転が可能となる。また、第２ポンプ系統Ｓ２の第２バイパス管ｂ２を介した給水も可能となる。
なお、図７の例では、仮に第２バイパス管ｂ２を省略した構成とした場合、第１逆流防止器ＢＰ１をメンテナンスする間、バイパス管を介した給水ができなくなる。それを回避したい場合は、第１逆流防止器ＢＰ１と第１バイパス管ｂ１の上流端との間で、第１上流分岐管ｒ１に、開閉弁ＧＶ５１を追加するとよい。そして、第１逆流防止器ＢＰ１をメンテナンスする間、第１開閉弁ＧＶ１１を閉鎖し、開閉弁ＧＶ５１を閉鎖し、その他の各弁を開放する。これにより、通水は、第２開閉弁ＧＶ１２、第２吸込側三方弁ＧＶ４２、吸込側連通管ｃ１０、第１吸込側三方弁ＧＶ４１、第１ポンプ系統Ｓ１（第１下流分岐管ｍ１、第１バイパス管ｂ１）、第１吐出側三方弁ＧＶ２１、吐出管ｒ３を通る流路でも可能となる。よって、第１バイパス管ｂ１を介した給水が可能となる。
ただし、バイパス管ｂ１、ｂ２は、両方設けるよりも、いずれか一方のみにするほうが、給水装置１のコンパクト性を向上できる。
第２逆流防止器ＢＰ２、第２バイパス管ｂ２に設けられた第２逆止弁ＣＶ２２をメンテナンスする場合についても、同様であるので、説明を省略する。
【００４９】
このように、第３実施形態では、第２実施形態と同様に、給水装置１の構成部品をメンテナンスする際に、断水ひいては給水停止を回避でき、また、第１逆流防止器ＢＰ１又は第２逆流防止器ＢＰ２をメンテナンスする際に、第１ポンプＰ１及び第２ポンプＰ２の両方に通水が可能であるため、その間、第１ポンプＰ１及び第２ポンプＰ２の２台での運転が可能となる。
また、第３実施形態では、第２実施形態とは異なり、第１バイパス管ｂ１に設けられた第１逆止弁ＣＶ２１、又は、第２バイパス管ｂ２に設けられた第２逆止弁ＣＶ２２をメンテナンスする際にも、第１ポンプＰ１及び第２ポンプＰ２の両方に通水が可能であるため、その間、第１ポンプＰ１及び第２ポンプＰ２の２台での運転が可能となる。
また、切替弁（第１開閉弁ＧＶ１１、第２開閉弁ＧＶ１２、第１吸込側三方弁ＧＶ４１、第２吸込側三方弁ＧＶ４２、第１吐出側三方弁ＧＶ２１、第２吐出側切替弁ＧＶ２２、開閉弁ＧＶ３０）の総数は、７つとなり、第２実施形態よりはやや多いものの、仮に各メンテナンス対象部品の上流側及び下流側に、それぞれ切替弁を設ける場合に比べれば、依然として削減できている。よって、その分、配管系統の設置スペースが削減でき、ひいては、給水装置１をコンパクト化できる。このことは、給水装置１が、コンパクト化への要望が高いキャビネット型の給水装置として構成されている場合に、特に有利である。また、切替弁の総数を少なくできる分、給水装置のコストを低減できる。
以上より、本実施形態の給水装置１によれば、メンテナンス時に給水停止を回避できる一方、給水装置の大型化や高コスト化を抑制できる。
【００５０】
図８に示す給水装置１は、図７を参照して説明した配管回路構成を備えるものである。
図８に示すように、第１逆流防止器ＢＰ１及び第２逆流防止器ＢＰ２の出口は、同一の水平方向に指向されており、図の例では、給水装置１を正面視したときの右方向に指向されている。これにより、第１逆流防止器ＢＰ１及び第２逆流防止器ＢＰ２より下流側の第１上流分岐管ｒ１及び第２上流分岐管ｒ２が、第１逆流防止器ＢＰ１及び第２逆流防止器ＢＰ２の横側（図の例では右側）に配置されている。そして、第１逆流防止器ＢＰ１及び第２逆流防止器ＢＰ２より下流側の第１上流分岐管ｒ１及び第２上流分岐管ｒ２の上側では、第１吸込側三方弁ＧＶ４１、第２吸込側三方弁ＧＶ４２、第１吐出側三方弁ＧＶ２１、及び第２吐出側切替弁ＧＶ２２が同一平面上に配置されている。また、第１下流分岐管ｍ１（ひいては第１ポンプＰ１）は、第１吸込側三方弁ＧＶ４１及び第１吐出側三方弁ＧＶ２１の上側に配置されており、第２下流分岐管ｍ２（ひいては第２ポンプＰ２）は、第２吸込側三方弁ＧＶ４２及び第２吐出側切替弁ＧＶ２２の上側に配置されている。第１バイパス管ｂ１は、第１吸込側三方弁ＧＶ４１及び第１吐出側三方弁ＧＶ２１の下側に配置されている。吐出管ｒ３は、吐出側連通管ｃ２０から下側へ延びている。この構成によれば、第１逆流防止器ＢＰ１及び第２逆流防止器ＢＰ２より下流側の配管が水平方向に広がるのを抑制でき、ひいては設置スペースの拡大を抑制できるので、給水装置の大型化を抑制できる。
図８の例では、第２バイパス管ｂ２は省略されている。図４（ｂ）の例と同様に、第１バイパス管ｂ１に設けられた第１逆止弁ＣＶ２１は、第１バイパス管ｂ１の内部に収容されている。
【００５１】
なお、図８に示すように、本例において、第１開閉弁ＧＶ１１、第２開閉弁ＧＶ１２、開閉弁ＧＶ３０は、それぞれ、操作部ｏ１１、ｏ１２、ｏ３０の操作によって回転軸ｓ１１、ｓ１２、ｓ３０が回転されることにより、切り替えられるように構成されている。
また、給水装置１は、第１吸込側三方弁ＧＶ４１及び第１吐出側三方弁ＧＶ２１を、操作部ｏ７１の操作により同時に切り替えられるように構成された、第１回転軸ｓ７１と、第２吸込側三方弁ＧＶ４２及び第２吐出側切替弁ＧＶ２２を、操作部ｏ７２の操作により同時に切り替えられるように構成された、第２回転軸ｓ７２とを、備えている。この構成によれば、給水装置の大型化をより効果的に抑制でき、また、操作性を向上できる。
その他の外観構成については、第１実施形態に係る図２〜図４の例と同様である。
【００５２】
〔第４実施形態〕
本発明の第４実施形態について、図９〜図１２を参照しながら、第３実施形態とは異なる点を中心に、説明する。図９〜図１１は、第４実施形態に係る給水装置１の概略的な配管回路図であり、それぞれ別々の状態を表している。図１２は、第４実施形態に係る給水装置１の一例の外観を示しており、図９〜図１１を参照して後述する配管回路構成を備えるものである。ただし、第４実施形態に係る給水装置１は、図９〜図１１を参照して後述する配管回路構成を備えるものである限り、任意の外観構成（三次元構成）を有してよい。
本実施形態の給水装置１は、高層集合住宅等の水の需要先に充分な給水をするために用いられる、直結給水式給水装置であり、キャビネット型の給水装置として構成されると特に好適なものであるが、据置型の給水装置として構成されても好適なものである。
【００５３】
第４実施形態の給水装置１は、第１上流分岐管ｒ１の下流端が、第１吸込側三方弁ＧＶ４１と第２吸込側三方弁ＧＶ４２との間で、吸込側連通管ｃ１０に接続されており、第１上流分岐管ｒ１には、第１逆流防止器ＢＰ１の下流側に、第３開閉弁ＧＶ６０が設けられている点で、第３実施形態とは異なる。バイパス管は、第１バイパス管ｂ１のみであり、第２バイパス管ｂ２は設けられていない。
第２吐出側切替弁ＧＶ２２は、三方弁又は二方弁から構成されるが、図の例のように三方弁から構成される場合、その第３口ｖ３を、キャップ又は筐体で覆う等して、常に閉状態に維持するとよい。
【００５４】
本例において、第１開閉弁ＧＶ１１、第２開閉弁ＧＶ１２、第３開閉弁ＧＶ６０、第１吸込側三方弁ＧＶ４１、第２吸込側三方弁ＧＶ４２、第１吐出側三方弁ＧＶ２１、第２吐出側切替弁ＧＶ２２、及び開閉弁ＧＶ３０は、それぞれ、手動によって切り替えられるように構成されているが、電気制御によって切り替えられるように構成されてもよい。
上記以外の構成は、第３実施形態と同じである。
【００５５】
つぎに、図９〜図１１の給水装置１において、一部の構成部品について、点検や部品交換等のメンテナンスをする際の動作を、説明する。図９〜図１１において、白抜き矢印は、その流路が通水可能であることを表しており、ハッチは、その流路が閉鎖されていることを表している。
第１逆流防止器ＢＰ１をメンテナンスする場合は、例えば、図９に示すように、第１開閉弁ＧＶ１１を閉鎖し、第３開閉弁ＧＶ６０を閉鎖し、その他の各弁を開放する。これにより、第１開閉弁ＧＶ１１から第３開閉弁ＧＶ６０までの流路が、閉鎖されるので、第１逆流防止器ＢＰ１のメンテナンスが可能となる。この間、通水は、第２開閉弁ＧＶ１２、第２吸込側三方弁ＧＶ４２、第２ポンプ系統Ｓ２（第２下流分岐管ｍ２）、吐出側連通管２０、吐出管ｒ３を通る流路で可能であるとともに、第２開閉弁ＧＶ１２、第２吸込側三方弁ＧＶ４２、吸込側連通管ｃ１０、第１吸込側三方弁ＧＶ４１、第１ポンプ系統Ｓ１（第１下流分岐管ｍ１及び第１バイパス管ｂ１）、吐出側連通管ｃ２０、吐出管ｒ３に至る流路でも可能である。よって、給水装置１全体の断水は回避される。また、吸込側連通管ｃ１０によって第１吸込側三方弁ＧＶ４１及び第２吸込側三方弁ＧＶ４２が互いに連通されていることにより、第１ポンプ系統Ｓ１及び第２ポンプ系統Ｓ２の両方へ通水可能となり、ひいては第１ポンプＰ１及び第２ポンプＰ２の２台での運転が可能となる。また、第１ポンプ系統Ｓ１の第１バイパス管ｂ１を介した給水も可能となる。
【００５６】
第２逆流防止器ＢＰ２をメンテナンスする場合は、例えば、図１０に示すように、第２開閉弁ＧＶ１２を閉鎖し、第２吸込側三方弁ＧＶ４２の第３口ｖ３を閉鎖し、その他の各弁を開放する。これにより、第２開閉弁ＧＶ１２から第２吸込側三方弁ＧＶ４２までの流路の通水が、閉鎖されるので、第２逆流防止器ＢＰ２のメンテナンスが可能となる。この場合も、第１ポンプ系統Ｓ１及び第２ポンプ系統Ｓ２の両方へ通水可能となり、ひいては第１ポンプＰ１及び第２ポンプＰ２の２台での運転が可能となる。また、第１ポンプ系統Ｓ１の第１バイパス管ｂ１を介した給水も可能となる。
【００５７】
第１バイパス管ｂ１に設けられた第１逆止弁ＣＶ２１をメンテナンスする場合は、例えば、図１１に示すように、第１吸込側三方弁ＧＶ４１の第３口ｖ３を閉鎖し、第１吐出側三方弁ＧＶ２１の第３口ｖ３を閉鎖し、その他の各弁を開放する。これにより、第１吸込側三方弁ＧＶ４１から第１吐出側三方弁ＧＶ２１までのバイパス管ｂ１の流路は閉鎖されるので、第１バイパス管ｂ１に設けられた第１逆止弁ＣＶ２１のメンテナンスが可能となる。この間、通水は、第１下流分岐管ｍ１及び第２下流分岐管ｍ２の両方へ通水が可能となり、ひいては、断水を回避でき、また、第１ポンプＰ１及び第２ポンプＰ２の２台での運転が可能となる。
【００５８】
このように、第４実施形態では、第３実施形態と同様に、給水装置１の構成部品をメンテナンスする際に、断水ひいては給水停止を回避でき、また、第１逆流防止器ＢＰ１、第２逆流防止器ＢＰ２、第１バイパス管ｂ１に設けられた第１逆止弁ＣＶ２１をメンテナンスする際に、第１ポンプＰ１及び第２ポンプＰ２の２台での運転が可能となる。
また、切替弁（第１開閉弁ＧＶ１１、第２開閉弁ＧＶ１２、第３開閉弁ＧＶ６０、第１吸込側三方弁ＧＶ４１、第２吸込側三方弁ＧＶ４２、第１吐出側三方弁ＧＶ２１、第２吐出側切替弁ＧＶ２２、開閉弁ＧＶ３０）の総数は、８つとなり、第３実施形態よりはやや多いものの、仮に各メンテナンス対象部品の上流側及び下流側に、それぞれ切替弁を設ける場合に比べれば、依然として削減できている。よって、その分、配管系統の設置スペースが削減でき、ひいては、給水装置１をコンパクト化できる。このことは、給水装置１が、コンパクト化への要望が高いキャビネット型の給水装置として構成されている場合に、特に有利である。また、切替弁の総数を少なくできる分、給水装置のコストを低減できる。また、第２バイパス管ｂ２を設けない分でも、さらなるコンパクト化ができる。
以上より、本実施形態の給水装置１によれば、メンテナンス時に給水停止を回避できる一方、給水装置の大型化や高コスト化を抑制できる。
【００５９】
図１２に示す給水装置１は、図９〜図１１を参照して説明した配管回路構成を備えるものである。
図１２に示すように、第１逆流防止器ＢＰ１及び第２逆流防止器ＢＰ２の出口は、同一の水平方向に指向されており、図の例では、給水装置１を正面視したときの右方向に指向されている。これにより、第１逆流防止器ＢＰ１及び第２逆流防止器ＢＰ２より下流側の第１上流分岐管ｒ１（ひいては第３開閉弁ＧＶ６０）及び第２上流分岐管ｒ２が、第１逆流防止器ＢＰ１及び第２逆流防止器ＢＰ２の横側（図の例では右側）に配置されている。そして、第１逆流防止器ＢＰ１及び第２逆流防止器ＢＰ２より下流側の第１上流分岐管ｒ１（ひいては第３開閉弁６０）及び第２上流分岐管ｒ２の上側では、第１吸込側三方弁４１、第２吸込側三方弁４２、第１吐出側三方弁２１、及び第２吐出側切替弁２２が同一平面上に配置されている。また、第１下流分岐管ｍ１（ひいては第１ポンプＰ１）は、第１吸込側三方弁４１及び第１吐出側三方弁２１の上側に配置されており、第２下流分岐管ｍ２（ひいては第２ポンプＰ２）は、第２吸込側三方弁ＧＶ４２及び第２吐出側切替弁ＧＶ２２の上側に配置されている。第１バイパス管ｂ１は、第１吸込側三方弁４１及び第１吐出側三方弁２１の下側に配置されている。吐出管ｒ３は、吐出側連通管ｃ２０から下側へ延びている。この構成によれば、第１逆流防止器ＢＰ１及び第２逆流防止器ＢＰ２より下流側の配管が水平方向に広がるのを抑制でき、ひいては設置スペースの拡大を抑制できるので、給水装置の大型化を抑制できる。
図４（ｂ）の例と同様に、第１バイパス管ｂ１に設けられた第１逆止弁ＣＶ２１は、第１バイパス管ｂ１の内部に収容されている。
【００６０】
なお、図１２に示すように、本例において、第１開閉弁ＧＶ１１、第２開閉弁ＧＶ１２、第３開閉弁６０、開閉弁ＧＶ３０は、それぞれ、操作部ｏ１１、ｏ１２、ｏ６０、ｏ３０の操作によって回転軸ｓ１１、ｓ１２、ｓ６０、ｓ３０が回転されることにより、切り替えられるように構成されている。
また、給水装置１は、第１吸込側三方弁ＧＶ４１及び第１吐出側三方弁ＧＶ２１を、操作部ｏ７１の操作により同時に切り替えられるように構成された、第１回転軸ｓ７１と、第２吸込側三方弁ＧＶ４２及び第２吐出側切替弁ＧＶ２２を、操作部ｏ７２の操作により同時に切り替えられるように構成された、第２回転軸ｓ７２とを、備えている。この構成によれば、給水装置の大型化をより効果的に抑制でき、また、操作性を向上できる。
その他の外観構成については、第１実施形態に係る図２〜図４の例と同様である。
【産業上の利用可能性】
【００６１】
本発明の給水装置は、例えば直結給水式のキャビネット型の給水装置や、直結給水式の据置型の給水装置に、好適に適用できる。
【符号の説明】
【００６２】
１  給水装置
１ａ  吸込口
１ｂ  吐出口
２  キャビネット
ＢＰ１  第１逆流防止器
ＢＰ２  第２逆流防止器
ｂ１  第１バイパス管
ｂ２  第２バイパス管
ＣＶ１１、ＣＶ１２  逆止弁
ＣＶ２１  第１逆止弁
ＣＶ２２  第２逆止弁
ｃ１０  吸込側連通管
ｃ２０  吐出側連通管
ＤＰＴ  圧力タンク
ＧＶ１１  第１開閉弁
ＧＶ１２  第２開閉弁
ＧＶ２０  吐出側三方弁
ＧＶ２１  第１吐出側三方弁
ＧＶ２２  第２吐出側切替弁
ＧＶ３０、ＧＶ５１  開閉弁
ＧＶ４１  第１吸込側三方弁
ＧＶ４２  第２吸込側三方弁
ＧＶ６０  第３開閉弁
ｍ１  第１下流分岐管
ｍ２  第２下流分岐管
ｏ１１、ｏ１２、ｏ２０、ｏ３０、ｏ６０、ｏ７１、ｏ７２  操作部
Ｐ１  第１ポンプ
Ｐ２  第２ポンプ
ＰＴ１、ＰＴ２  圧力発信器
ｒ０  吸込管
ｒ１  第１上流分岐管
ｒ２  第２上流分岐管
ｒ３  吐出管
Ｓ１  第１ポンプ系統
Ｓ２  第２ポンプ系統
ＳＴＲ１、ＳＴＲ２  ストレーナ
ｓ１１、ｓ１２、ｓ２０、ｓ３０、ｓ６０、ｓ７１、ｓ７２、  回転軸
ｖ１  第１口
ｖ２  第２口
ｖ３  第３口
【図１】
2018123529.tif 000003
【図２】
2018123529.tif 000004
【図３】
2018123529.tif 000005
【図４】
2018123529.tif 000006
【図５】
2018123529.tif 000007
【図６】
2018123529.tif 000008
【図７】
2018123529.tif 000009
【図８】
2018123529.tif 000010
【図９】
2018123529.tif 000011
【図１０】
2018123529.tif 000012
【図１１】
2018123529.tif 000013
【図１２】
2018123529.tif 000014